(57)【要約】【課題】換気機能を有する室内装飾体を提供する。【解決手段】  板状乃至シート状の室内装飾部材１の裏面側に、薄型熱交換素子を隠蔽状に配設して、室内壁Ｗに取着するように構成した。【選択図】図２
2011152777.tif 000002
【特許請求の範囲】
【請求項１】
板状乃至シート状の室内装飾部材（１）の裏面（１ａ）側に、薄型熱交換素子（６）を隠蔽状に配設して、室内壁（Ｗ）に取着するように構成したことを特徴とする室内装飾体。
【請求項２】
板状乃至シート状の室内装飾部材（１）と、該室内装飾部材（１）の周囲を包囲状に保持する額縁部材（２）と、該額縁部材（２）の背面（２ａ）に取着され室内壁（Ｗ）に設けた給気流入口（３）及び排気流出口（４）を取り囲む収納部材（５）と、を備え、
上記室内装飾部材（１）の裏面（１ａ）と、上記収納部材（５）の内面（５ａ）との間に、薄型の収納空間（９）を形成し、該収納空間（９）内に、給気と排気の間で熱交換させる薄型熱交換素子（６）を収納したことを特徴とする室内装飾体。
【請求項３】
板状乃至シート状の室内装飾部材（１）と、該室内装飾部材（１）の周囲を包囲状に保持する額縁部（１２）と室内壁（Ｗ）に設けた給気流入口（３）及び排気流出口（４）を取り囲むケース部（１５）とを一体に有する外装部材（１０）と、を備え、
上記室内装飾部材（１）の裏面（１ａ）と、上記外装部材（１０）の内面（１０ａ）との間に、薄型の収納空間（９）を形成し、該収納空間（９）内に、給気と排気の間で熱交換させる薄型熱交換素子（６）を収納したことを特徴とする室内装飾体。
【発明の詳細な説明】
【技術分野】
【０００１】
本発明は、室内装飾体に関する。
【背景技術】
【０００２】
従来、室内壁や机の上のインテリアとして、絵画や写真等を額縁に入れて展示する室内装飾体が用いられている（特許文献１参照）。
【先行技術文献】
【特許文献】
【０００３】
【特許文献１】登録実用新案３０３９０８０号公報
【発明の概要】
【発明が解決しようとする課題】
【０００４】
従来の室内装飾体は、室内の景観を良くするという美観的な効果を期待して設置されるものであり、それ以外の機能は期待できなかった。
近年、冷暖房効果を高めるために居住空間の高断熱化・高気密化が進むにつれて、室内空気の汚染が問題となっており、換気の重要性が再認識されている。室内空気を清浄に保つために、室内の汚染された空気を排出する排気流出口と、室外の新鮮な空気を室内に取り込む給気流入口と、を室内壁に開設して、住宅等の建物の室内を換気している。
【０００５】
また、環境問題において、地球温暖化の原因物質である二酸化炭素の排出量を削減するためにはさらなる冷暖房エネルギーの削減が必要であり、換気の際に外気に放出して損失する熱量を最小限に抑えて省エネ効果を高めることが求められている。冷暖房効果を損なわずに換気を行なう方法としては、熱交換素子を用いて給気と排気の間で熱交換させるために、大型の直方体形ケーシングを有する換気装置を室内に設置していた。そのため、直方体形ケーシングが目立ってしまい、室内の景観が損なわれていた。
【０００６】
そこで、本発明は、換気機能を有し、かつ、環境問題にも配慮した室内装飾体を提供することを目的とする。
【課題を解決するための手段】
【０００７】
本発明に係る室内装飾体は、板状乃至シート状の室内装飾部材の裏面側に、薄型熱交換素子を隠蔽状に配設して、室内壁に取着するように構成したものである。
【０００８】
また、板状乃至シート状の室内装飾部材と、該室内装飾部材の周囲を包囲状に保持する額縁部材と、該額縁部材の背面に取着され室内壁に設けた給気流入口及び排気流出口を取り囲む収納部材と、を備え、上記室内装飾部材の裏面と、上記収納部材の内面との間に、薄型の収納空間を形成し、該収納空間内に、給気と排気の間で熱交換させる薄型熱交換素子を収納したものである。
【０００９】
また、板状乃至シート状の室内装飾部材と、該室内装飾部材の周囲を包囲状に保持する額縁部と室内壁に設けた給気流入口及び排気流出口を取り囲むケース部とを一体に有する外装部材と、を備え、上記室内装飾部材の裏面と、上記外装部材の内面との間に、薄型の収納空間を形成し、該収納空間内に、給気と排気の間で熱交換させる薄型熱交換素子を収納したものである。
【発明の効果】
【００１０】
本発明の室内装飾体によれば、室内の景観を良くすると共に、室内の空気を清浄に保つことができる。また、外観上は室内壁に掛けたインテリアであるにも関わらず、熱交換素子を目立たない様に収納しているため、冷暖房エネルギーを無駄にすることなく換気を行い、熱エネルギーを効率よく循環できる。すなわち、省エネ効果を高め、二酸化炭素排出量の削減に貢献できる。
【図面の簡単な説明】
【００１１】
【図１】本発明の室内装飾体を室内壁に設置した様子を示した簡略図である。
【図２】本発明に係る室内装飾体の実施の一形態を示した斜視図である。
【図３】室内装飾体の内部構造を示した正面図である。
【図４】熱交換素子の一例を示した斜視図である。
【図５】室内装飾体の断面側面図である。
【図６】他の室内装飾体を示した断面側面図である。
【図７】室内装飾体の別の実施の形態を示した断面側面図である。
【図８】さらに別の室内装飾体を示した断面側面図である。
【発明を実施するための形態】
【００１２】
以下、実施の形態を示す図面に基づき本発明を詳説する。
図１に示すように、本発明の室内装飾体Ｚは、絵画や写真、版画、タペストリー、表彰状、証明書、時計等から成る室内装飾部材１を正面に向けて額縁部材２に入れ、室内壁Ｗに掛着して展示されている。
【００１３】
図２〜図４に示すように、室内装飾体Ｚは、内部（室内装飾部材１の裏側）に、薄型の熱交換素子６を隠蔽状に配設している。
室内装飾部材１は、長方形の板状乃至シート状であり、その表て面を、絵や写真、書、版画、タペストリー等の創作物によって装飾され、又は、表彰状や証明書等の表示が施されている。あるいは、デジタル式又はアナログ式の時計、温度計、湿度計等、又は、デジタルフォトフレーム等が表面に付設されたものであってよい。
額縁部材２は、室内装飾部材１の周囲を包囲し、装飾を際立たせるようにして保持している。額縁部材２は、室内壁Ｗに固着した収納部材５に取着されている。
収納部材５は、長方形状の箱であって、左右両側方に向けて開口する窓部７，８を有している。収納部材５には、室内壁Ｗに開設された給気流入口３及び排気流出口４に連通する貫孔１８，１８が開けられていて、給気流入口３及び排気流出口４の周囲を外部から見えないように取り囲んでいる。給気流入口３は、室内壁Ｗ内部及び天井裏に埋め込まれた給気ダクト（図示省略）に接続され、室外に連通している。一方、排気流出口４は、室内壁Ｗ内部及び天井裏に埋め込まれた排気ダクト（図示省略）に接続され、室外に連通している。
【００１４】
室内装飾体Ｚは、室内装飾部材１の裏面１ａ（図５参照）と、収納部材５の内面５ａとの間に、薄型の収納空間９を形成し、その内に熱交換素子６を収納している。熱交換素子６は、平面視六角形状に形成され、複数の流路６ａ，６ｂを有している。
Ａは、給気流入口３から取り込んだ室外の新鮮な空気の流れを示し、Ｂは、室内から排気流出口４に排出される汚れた空気の流れを示している。
室内装飾体Ｚは、給気流入口３から導入した新鮮な空気を窓部７から室内へ供給すると共に、窓部８から汚れた空気を取り込んで排気流出口４に排出するように構成されている。熱交換素子６は、この２種類の空気を、流路６ａ，６ｂに流し、相互に熱交換させている。
なお、給気流入口３及び排気流出口４には、送風用のファンＦ，Ｆが内設されており、電源に接続して作動させることにより、空気の流れＡ，Ｂを作り出して室内装飾体Ｚの換気機能をより効率よく発揮させる。また、窓部７，８は、流れＡ，Ｂの空気の出入口という役割を果たす範囲であれば、大きさ、形状、位置を自由に変更することができるものとする。例えば、窓部７，８を、収納部材５の下面に下方開口状として設けるもよく、あるいは、側面から下面にかけて形成するも望ましい。
【００１５】
図４に示すように、熱交換素子６は、互いに異なる２種類の流路６ａ，６ｂを有する複数枚の熱交換部材２０…を、流路６ａ，６ｂが交互になるように順次上下に積層したものである。熱交換素子６は、熱を伝熱する仕切膜２１を介して、冷暖房によって温度調整された室内の空気と季節によって様々に変化する室外の空気との熱交換を行い、換気による冷暖房エネルギーの損失を少なくする。
【００１６】
図５に示すように、室内装飾部材１は、表て面側を、透明な保護カバー１１によって保護され、裏面１ａ側に、剛性を有する平板１３が当てられ、３層に積層した状態で、額縁部材２に包囲されている。額縁部材２は、背面２ａ側に揺動自在に取着した留め具１４，１４によって平板１３を係止して、保護カバー１１と室内装飾部材１と平板１３とを保持している。収納部材５内には、取付部材１６…が複数個配設され、取付部材１６には固定板１９がボルトで固定されている。取付部材１６…は、収納空間９内に配設された熱交換素子６を嵌め込んで、固定板１９で動かないように固定している。収納部材５の内面５ａと取付部材１６…は、熱交換素子６に流れる２種類の空気を、相互に混合しないように分離している。
【００１７】
図６に示すように、額縁部材２の留め具１４，１４を省略し、取付部材１６…によって、平板１３を係止する構造とするも好ましい。この場合、熱交換素子６を収納空間９内に収納する前工程として、取付部材１６…を、額縁部材２の背面２ａ側からボルトにて固定しておく。取付部材１６…は、保護カバー１１と室内装飾部材１と平板１３とを額縁部材２に保持させると共に額縁部材２と収納部材５とを連結している。熱交換素子６は、収納空間９に装入され、収納部材５の背面側は、貫孔１８を有する裏板１７を取着して蓋をしてある。
【００１８】
図７及び図８は、本発明の別の実施の形態を示した断面図である。
室内装飾体Ｚは、室内装飾部材１と、室内装飾部材１の周囲を包囲状に保持する額縁部１２と室内壁Ｗに設けた給気流入口３及び排気流出口４を取り囲むケース部１５とを一体に有する外装部材１０と、を備えている。室内装飾部材１の裏面１ａと、外装部材１０の内面１０ａとの間には、薄型の収納空間９を形成し、収納空間９内に、薄型熱交換素子６を隠蔽状に収納して、室内壁Ｗに取着されている。
図７に示すように、室内装飾部材１は、保護カバー１１と平板１３に挟まれて３層に積層した状態で、外装部材１０と取付部材１６によって保持され、額縁部１２が周囲を包囲している。外装部材１０の背面側は、貫孔１８を有する裏板１７を取着して蓋をしてある。
【００１９】
図８に示すように、室内装飾部材１が剛性を有する場合には、保護カバー１１と平板１３を省略し、直接に外装部材１０の額縁部１２に貼り付けるも良い。また、取付部材１６を省いて、熱交換素子６が収納空間９内で動くことなく収納できるように外装部材１０の内面１０ａを形成するも望ましい。
【００２０】
上述した本発明の室内装飾体Ｚの使用方法（作用）について説明する。
室内装飾体Ｚは、室内装飾部材１の装飾を、額縁部材２（額縁部１２）によって際立たせて展示し、室内の美観を良くする。また、左右の窓部７，８から室内装飾体Ｚ周辺の空気の入れ換えを行って、室内の空気を清浄に保つ。
さらに、内部に収納した熱交換素子６によって、給気と排気の間で熱交換を行い、冷暖房設備によって室内の空気に蓄積された熱エネルギーを、大気に放出することなく回収し、室内の温度調整に再利用する。この作用により、従来の換気装置を代用し、大型の直方体形ケーシングを室内に設置する必要を省き、室内の景観を損なうことがない。
【００２１】
以上のように、本発明は、板状乃至シート状の室内装飾部材１の裏面１ａ側に、薄型熱交換素子６を隠蔽状に配設して、室内壁Ｗに取着するように構成したので、室内の景観を良くすると共に、室内の空気を清浄に保つことができる。外観上は室内壁に掛けたインテリアであるにも関わらず、熱交換素子６を目立たない様に収納しているため、冷暖房エネルギーを無駄にすることなく換気を行い、熱エネルギーを効率よく循環できる。つまり、給気と排気の間で熱交換を行なうことで、省エネ効果を高め、二酸化炭素排出量の削減に貢献できる。
【００２２】
また、板状乃至シート状の室内装飾部材１と、室内装飾部材１の周囲を包囲状に保持する額縁部材２と、額縁部材２の背面２ａに取着され室内壁Ｗに設けた給気流入口３及び排気流出口４を取り囲む収納部材５と、を備え、室内装飾部材１の裏面１ａと、収納部材５の内面５ａとの間に、薄型の収納空間９を形成し、収納空間９内に、給気と排気の間で熱交換させる薄型熱交換素子６を収納したので、室内装飾部材１を際立たせて室内の景観を良くすると共に、室内の空気を清浄に保つことができる。外観上は室内壁Ｗに掛けたインテリアであるにも関わらず、給気流入口３及び排気流出口４を取り囲んで収納部材５の裏側に隠し、かつ、熱交換素子６を目立たない様に収納しているため、冷暖房エネルギーを無駄にすることなく換気を行い、熱エネルギーを効率よく循環できる。つまり、給気と排気の間で熱交換を行なうことで、省エネ効果を高め、二酸化炭素排出量の削減に貢献できる。
【００２３】
また、板状乃至シート状の室内装飾部材１と、室内装飾部材１の周囲を包囲状に保持する額縁部１２と室内壁Ｗに設けた給気流入口３及び排気流出口４を取り囲むケース部１５とを一体に有する外装部材１０と、を備え、室内装飾部材１の裏面１ａと、外装部材１０の内面１０ａとの間に、薄型の収納空間９を形成し、収納空間９内に、給気と排気の間で熱交換させる薄型熱交換素子６を収納したので、室内装飾部材１を際立たせて室内の景観を良くすると共に、室内の空気を清浄に保つことができる。外観上は室内壁Ｗに掛けたインテリアであるにも関わらず、給気流入口３及び排気流出口４を取り囲んで外装部材１０の裏側に隠し、かつ、熱交換素子６を目立たない様に収納しているため、冷暖房エネルギーを無駄にすることなく換気を行い、熱エネルギーを効率よく循環できる。つまり、給気と排気の間で熱交換を行なうことで、省エネ効果を高め、二酸化炭素排出量の削減に貢献できる。
【符号の説明】
【００２４】
１  室内装飾部材
１ａ  裏面
２  額縁部材
２ａ  背面
３  給気流入口
４  排気流出口
５  収納部材
５ａ  内面
６  熱交換素子
９  収納空間
１０  外装部材
１０ａ  内面
１２  額縁部
１５  ケース部
Ｗ  室内壁
【図１】
2011152777.tif 000003
【図２】
2011152777.tif 000004
【図３】
2011152777.tif 000005
【図４】
2011152777.tif 000006
【図５】
2011152777.tif 000007
【図６】
2011152777.tif 000008
【図７】
2011152777.tif 000009
【図８】
2011152777.tif 000010